(57)【要約】【課題】  煩雑な使用手順や長い操作の待ち時間を省いて、操作使用上より一層便利なブルートゥースイヤホンと組み合わせて使用する車用ハンドフリー装置を提供すること。【解決手段】  ブルートゥースイヤホンと、伝送エレメント及び車用音響とによって構成され、前記ブルートゥースイヤホンに伝送エレメントの第一コネクターを差し込むためのコネクター差込口を設け、第二伝送エレメントの第二コネクターは車用音響のフロントパネルに開設したコネクター差込口に差し込むことができる、上記接続方式によって、ブルートゥースイヤホンから出力された音源信号を車用音響へ入力し、更に車のスピーカーによって音源信号を放送できる。或いは同時に車用音響を利用して伝送エレメント経由でブルートゥースイヤホンに対して充電を行う。【選択図】  図２Ｂ
0003111792.tif 000002
【実用新案登録請求の範囲】
【請求項１】
ブルートゥース携帯電話と二方向無線伝送を行い、且つ外部に、伝送線の第一コネクターを差し込むことのできるコネクター差込口を凸設したブルートゥースイヤホンと、
両端にそれぞれ第一コネクター及び第二コネクターを設置し、前記第一コネクターは、ブルートゥースイヤホンのコネクター差込口に差し込んで接続し、前記第二コネクターは車用音響のフロントパネルに開設されたコネクター差込口に差し込んで接続することのできる伝送エレメントと、
フロントパネルの上に伝送線の第二コネクターを差し込んで接続できるコネクター差込口を開設してなる車用音響と、を含み、
上記の接続方式によって、ブルートゥースイヤホンから出力された音源信号は伝送線によって車用音響の中に入力され、更に車のスピーカーによって音源信号を放送する、或いは同時に車用音響を利用して伝送線経由でブルートゥースイヤホンに対して充電を行うことを特徴とする、
ブルートゥースイヤホンと組み合わせて使用する車用ハンドフリー装置。
【請求項２】
前記伝送エレメントは、音源信号の伝送、或いは同時に音源信号及び電圧信号の伝送に使用することができるものであることを特徴とする、請求項１に記載のブルートゥースイヤホンと組み合わせて使用する車用ハンドフリー装置。
【請求項３】
前記伝送エレメントは、伝送線であることを特徴とする、請求項１に記載のブルートゥースイヤホンと組み合わせて使用する車用ハンドフリー装置。
【請求項４】
前記伝送エレメントは、伝送部品であることを特徴とする、請求項１に記載のブルートゥースイヤホンと組み合わせて使用する車用ハンドフリー装置。
【請求項５】
前記コネクター及びコネクター差込口の形式は、USB/IEEE1394 fire wire/Phone jａck/ＡMP/Molexであることを特徴とする、請求項１に記載のブルートゥースイヤホンと組み合わせて使用する車用ハンドフリー装置。
【請求項６】
前記伝送部品は、Ｌ字型固定部品であることを特徴とする、請求項４に記載のブルートゥースイヤホンと組み合わせて使用する車用ハンドフリー装置。
【請求項７】
前記伝送部品は、Ｉ字型固定部品であることを特徴とする、請求項４に記載のブルートゥースイヤホンと組み合わせて使用する車用ハンドフリー装置。
【考案の詳細な説明】
【技術分野】
【０００１】
本考案は、ブルートゥース（登録商標）イヤホンと組み合わせて使用する車用ハンドフリー装置に関し、特にブルートゥースイヤホンと車用音響とを組み合わせて使用する車用ハンドフリー装置に関するものである。
【背景技術】
【０００２】
従来のブルートゥース・ハンドフリー装置は、使用に際し、ブルートゥース携帯電話とブルートゥース・チップモジュールを搭載した車用音響（以下ブルートゥース車用音響と呼ぶ）と組み合わせ、且つユーザーが車内で携帯電話を使用する時、ハンドフリー携帯電話の目的を達成できるようになっている。
【０００３】
上記実施方式は、車用ハンドフリーの目的を達成できるが、実際上では下記のような問題が存在する。
【０００４】
（１）一般的にブルートゥース携帯電話のユーザーは、ブルートゥースイヤホンを使用する習慣がある。しかし、ブルートゥース携帯電話とブルートゥースイヤホンを組み合わせて使用する前に、対応付ける動作が必要であり、その上で初めてブルートゥースイヤホンによって接収、応答することができる。ユーザーが車内に入って車用ハンドフリー装置を使用する場合、まずブルートゥースイヤホンを閉じ、数秒間待ってからブルートゥース車用音響を起動し、更に数秒間待ってブルートゥース携帯電話とブルートゥース車用音響が対応接続されたあと、初めて車用ハンドフリーの実施状態を形成できる。そして、ユーザーが車から降りた後、上記手順をもう一度操作設定しなければならない。このように煩雑な操作と長たらしい待ち時間は、ユーザーに対し使用上の面倒及び操作上の不便をもたらす。
【０００５】
（２）上記ブルートゥース携帯電話とブルートゥース車用音響とを結合したハンドフリー装置は、実施に際し、電話の音が車のスピーカーによって放送されるため、車内にほかの乗客がいる場合、通話中にプライバシーの問題が起こり、使用上の不便を招く。
【０００６】
（３）上記車用ハンドフリー装置に使用されるブルートゥース車用音響は、ブルートゥース・チップモジュールを搭載して初めて実施使用することができる。しかし、ブルートゥース・チップモジュールの価格が比較的高いため、出荷するとき全ての車に搭載されているわけではない。ユーザーがブルートゥース携帯電話によって上記ハンドフリー装置を使用したい場合、車用音響を交換又は音響内部に高価なブルートゥース・チップモジュールを追加取り付けしなければならず、設備全体のコストアップを招く。
【０００７】
（４）上記ブルートゥース携帯電話とブルートゥース車用音響のハンドフリー装置は、音声を放送する時使用上の制限がある。音声の放送に部分的なスピーカーしか使用できないため、音響効果が比較的悪く、ユーザーの使用意欲を低下させる。
【考案の開示】
【考案が解決しようとする課題】
【０００８】
本考案の目的は、伝送エレメントによってブルートゥースイヤホンから出力された音源信号を直接車用音響に入力して実施し、煩雑な使用手順及び長たらしい操作の待ち時間を省き、操作使用上一層便利にすることのできるブルートゥースイヤホンと組み合わせて使用する車用ハンドフリー装置を提供することにある。
【０００９】
本考案のもう一つの目的は、車用音響・伝送エレメント及びブルートゥースイヤホンの実施に際し使われるコネクター差込口の形式は、USB/IEEE1394 fire wire/Phone jａck/ＡMP/Molexなどであってよく、且つ上記任意のコネクターに伝送エレメントを組み合わせて音源信号及び電源信号の伝送を行うことのできるブルートゥースイヤホンと組み合わせて使用する車用ハンドフリー装置を提供することにある。
【００１０】
本考案のもう一つ別の目的は、ブルートゥースイヤホンから車用音響へ入力される音源信号は、車両の全部のスピーカーによって放送され、比較的優れた音声放送の品質を備え、又プライバシー通信内容の場合には車からブルートゥースイヤホンを外して直接耳に付け、使用上の不便や制限を避ける事のできるブルートゥースイヤホンと組み合わせて使用する車用ハンドフリー装置を提供することにある。
【００１１】
本考案の又もう一つ別の目的は、低廉なコスト、簡単な操作、便利な携帯性、容易い設置、高い互換性、長い寿命などの長所を備えたブルートゥースイヤホンと組み合わせて使用する車用ハンドフリー装置を提供することにある。
【課題を解決するための手段】
【００１２】
上記目的を達成するため、本願の第１考案に係るブルートゥースイヤホンと組み合わせて使用する車用ハンドフリー装置は、ブルートゥース携帯電話と二方向無線伝送を行い、且つ外部に、伝送線の第一コネクターを差し込むことのできるコネクター差込口を凸設したブルートゥースイヤホンと、両端にそれぞれ第一コネクター及び第二コネクターを設置し、前記第一コネクターは、ブルートゥースイヤホンのコネクター差込口に差し込んで接続し、前記第二コネクターは車用音響のフロントパネルに開設されたコネクター差込口に差し込んで接続することのできる伝送エレメントと、フロントパネルの上に伝送線の第二コネクターを差し込んで接続できるコネクター差込口を開設してなる車用音響と、を含み、上記の接続方式によって、ブルートゥースイヤホンから出力された音源信号は伝送線によって車用音響の中に入力され、更に車のスピーカーによって音源信号を放送する、或いは同時に車用音響を利用して伝送線経由でブルートゥースイヤホンに対して充電を行うことを特徴とする。
本願の第２考案は、前記第１考案において、音源信号の伝送、或いは同時に音源信号及び電圧信号の伝送に使用することができるものであることを特徴とする。
本願の第３考案は、前記第１考案において、前記伝送エレメントは、伝送線であることを特徴とする。
本願の第４考案は、前記第１考案において、前記伝送エレメントは、伝送部品であることを特徴とする。
本願の第５考案は、前記第１考案において、前記コネクター及びコネクター差込口の形式は、USB/IEEE1394 fire wire/Phone jａck/ＡMP/Molexであることを特徴とする。
本願の第６考案は、前記第４考案において、前記伝送部品は、Ｌ字型固定部品であることを特徴とする。
本願の第７考案は、前記第４考案において、前記伝送部品は、Ｉ字型固定部品であることを特徴とする。
【考案の効果】
【００１３】
本考案に係るブルートゥースイヤホンと組み合わせて使用する車用ハンドフリー装置は下記のような長所がある。
【００１４】
（１）本考案に係るブルートゥースイヤホンと組み合わせて使用する車用ハンドフリー装置は、その伝送エレメントによってブルートゥースイヤホンから出力された音源信号を直接車用音響へ入力して実施でき、ユーザーの煩雑な使用手順及び長たらしい操作待ち時間を省き、操作使用上一層便利にすることができる。
【００１５】
（２）本考案に係るブルートゥースイヤホンと組み合わせて使用する車用ハンドフリー装置においては、車用音響・伝送エレメント及びブルートゥースイヤホンの実施に際して使用するコネクターの形式はUSB/IEEE1394 fire wire/Phone jａck/ＡMP/Molexなどであってもよく、且つ上記中任意のコネクターに伝送エレメントを組み合わせて音源信号及び電源信号の伝送を行うことができる。
【００１６】
（３）本考案に係るブルートゥースイヤホンと組み合わせて使用する車用ハンドフリー装置においては、ブルートゥースイヤホンから車用音響へ入力される音源信号は、車両上の全てのスピーカーによって放送できるので、より優れた放送音質及び使用効果を備え、しかもプライベートゥーな通信内容に際しては、車からブルートゥースイヤホンを取り外して直接耳に付け、使用上の不便や制限を避ける事ができる。
【００１７】
（４）本考案に係るブルートゥースイヤホンと組み合わせて使用する車用ハンドフリー装置においては、車用ハンドフリー装置の機能を備えるほか、同時にブルートゥースイヤホンに対して充電することができる。
【００１８】
（５）本考案に係るブルートゥースイヤホンと組み合わせて使用する車用ハンドフリー装置は、安いコスト、簡単な操作性、携帯便利性、設置容易性、高い互換性、長寿命などの長所がある。
【考案を実施するための最良の形態】
【００１９】
図１Ａ及び図１Ｂは、本考案に係るブルートゥースイヤホンと組み合わせて使用する車用ハンドフリー装置の実施構成略図である。
【００２０】
本考案は、主として、ブールートゥース携帯電話４と二方向無線伝送を行い、且つ外部に、伝送線２の第一コネクター２１に差し込むことのできるコネクター差込口１１を凸設したブルートゥースイヤホン１と、両端にそれぞれ第一コネクター２１及び第二コネクター２２を設置し、前記第一コネクター２１は、ブルートゥースイヤホン１のコネクター差込口１１に差し込んで接続し、前記第二コネクター２２は車用音響３１のフロントパネルに開設されたコネクター差込口３２に差し込んで接続することができる伝送線２と、フロントパネル３１の上に伝送線２の第二コネクター２２を差し込んで接続できるコネクター差込口３２を開設してなる車用音響３とを含む。
【００２１】
前記伝送線２は、音源信号の伝送用、或いは同時に音源信号及び電圧信号の伝送用として使用することができる。
上記の接続方式によって、ブルートゥースイヤホン１から出力された音源信号は伝送線２によって車用音響３の中に入力され、更に車のスピーカーによって音源信号を放送する。
或いは同時に車用音響３を利用して伝送線２経由でブルートゥースイヤホン１に対して充電を行い、車用ハンドフリー装置の機能と目的を達成する。
【００２２】
図１Ｃは、本考案に係るブルートゥースイヤホン１と組み合わせて使用する車用ハンドフリー装置の実施例略図である。
図によって分かるように、ユーザー５が車内に入ったら、持参したブルートゥースイヤホン１と伝送線２及び車用音響３を接続するだけで、車用ハンドフリー装置の構築及び使用準備を完成でき、如何なる対応手順も全く必要とせず、ユーザー５は、ブルートゥースイヤホン１のマイクロホンで通話を行い、且つブルートゥース携帯電話４によって音源信号を発送し、接収するときは、ブルートゥース携帯電話４によって音源信号を接収し、且つ信号をブルートゥースイヤホン１に送り、伝送線２を経由して車用音響３に入力し、更に車のスピーカーを通して放送して、車用ハンドフリー装置を使用できる。
【００２３】
図２Ａ及び図２Ｂは、本考案に係るブルートゥースイヤホン１と組み合わせて使用する車用ハンドフリー装置のもう一つの実施構成略図である、図によって分かるように、本考案は、主として、ブルートゥース携帯電話４と二方向無線伝送を行い、且つ外部に伝送線の第一コネクターを差し込むことのできるコネクター差込口を凸設したブルートゥースイヤホン１と、Ｌ字型固定部品（I字型固定部品であってもよい）の両端にそれぞれ第一コネクター２１ａ及び２２ａを設置した伝送エレメント２ａと、フロントパネル３１の上に伝送エレメント２ａの第二コネクター２２ａを差し込んで接続できるコネクター差込口３２を開設した車用音響３と、を含む。
【００２４】
前記第一コネクター２１ａは、ブルートゥースイヤホン１のコネクター差込口１１に差し込み、前記第二コネクター２２ａは車用音響３のフロントパネル３１に開設されたコネクター差込口３２に差し込んで接続することができる。前記伝送エレメント２ａは音源信号の伝送に使用し、或いは同時に音源信号及び電圧信号の伝送に使用することができる。
【００２５】
上記接続方式によって、ブルートゥースイヤホン１から出力された音源信号は、伝送エレメント２ａによって車用音響３の中に入力し、更に車のスピーカーによって音源信号を放送し、或いは同時に車用音響３を利用して伝送エレメント２ａ経由でブルートゥースイヤホン１に対して充電を行う。
【００２６】
図２Ｃは、本考案に係るブルートゥースイヤホン１と組み合わせて使用する車用ハンドフリー装置のもう一つ別の実施例略図である、図によって分かるように、ユーザー５が車内に入る時、ただ持参のブルートゥースイヤホン１を伝送エレメント２ａに固定するだけで、ブルートゥースイヤホン１から出力された音源信号を車用音響に入力することが出来る。
【００２７】
このようにして車用ハンドフリー装置の構築及び使用準備を完成し、如何なる対応手順も全く必要とせず、ユーザー５はブルートゥースイヤホン１のマイクロホンによって通話を行い、且つブルートゥース 携帯電話４によって音源信号を発送し、更に伝送エレメント２ａ経由で車用音響３に入力し、車のスピーカーで放送し、車用ハンドフリー装置を形成できる。
【００２８】
上記実施方式の中で使用されるコネクターの形式は、USB/IEEE1394 fire wire/Phone jａck/ＡMP/Molexなどであってよい。
【図面の簡単な説明】
【００２９】
【図１Ａ】本考案に係るブルートゥースイヤホンと組み合わせて使用する車用ハンドフリー装置の実施構成略図である。
【図１Ｂ】本考案に係るブルートゥースイヤホンと組み合わせて使用する車用ハンドフリー装置の実施構成略図である。
【図１Ｃ】ブルートゥースイヤホンと組み合わせて使用する車用ハンドフリー装置の実施形態略図である。
【図２Ａ】ブルートゥースイヤホンと組み合わせて使用する車用ハンドフリー装置のもう一つの実施構成略図である。
【図２Ｂ】ブルートゥースイヤホンと組み合わせて使用する車用ハンドフリー装置のもう一つの実施構成略図である。
【図２Ｃ】ブルートゥースイヤホンと組み合わせて使用する車用ハンドフリー装置のもう一つ別の実施形態略図である。
【符号の説明】
【００３０】
１・・・・・ブルートゥースイヤホン
１１・・・・コネクター差込口
２・・・・・伝送線
２ａ・・・・伝送エレメント
２１・・・・第一コネクター
２１ａ・・・第一コネクター
２２・・・・第二コネクター
２２ａ・・・第二コネクター
３・・・・・車用音響
３１・・・・フロントパネル
３２・・・・コネクター差込口
４・・・・・ブルートゥース携帯電話
５・・・・・ユーザー
【図１Ａ】
0003111792.tif 000003
【図１Ｂ】
0003111792.tif 000004
【図１Ｃ】
0003111792.tif 000005
【図２Ａ】
0003111792.tif 000006
【図２Ｂ】
0003111792.tif 000007
【図２Ｃ】
0003111792.tif 000008